(57)【要約】      （修正有）【課題】  着火プラグなどを液体燃料ランプ容器に簡単に結合セットできる液体燃料ランプの自動着火装置を提供する。【解決手段】  基端部１３ｂが容器１２に収容された液体燃料１１に浸漬され先端部１３ａが前記容器２の首部１２ａ開口から引き出された灯芯１３の前記先端部１３ａに着火させるための液体燃料ランプの自動着火装置であり、電気ヒータ２３を内蔵した着火プラグ２２を連結部材２１に装着し、この連結部材２１を前記容器１２に結合して前記着火プラグ２２と前記容器１２を連結し、前記電気ヒータ２３と前記灯芯１３の先端部１３ａとの間に電気ヒ−タ２３の加熱で燃焼して灯芯１３の先端部１３ａを着火させる導火線２４を配設する。【選択図】 図２
2006125690.tif 000002
【特許請求の範囲】
【請求項１】
基端部が容器に収容された液体燃料に浸漬され先端部が前記容器の首部開口から引き出された灯芯の前記先端部に着火させるための液体燃料ランプの自動着火装置であり、電気ヒータを内蔵した着火プラグを有し、前記電気ヒータと前記灯芯先端部との間に電気ヒ−タの加熱で燃焼して灯芯先端部を着火させる導火線を配設したことを特徴とする液体燃料ランプの自動着火装置。
【請求項２】
前記容器は受け部に据置され、この受け部に着火プラグ用基台が添設され、この着火プラグ用基台の上部に前記着火プラグが設けられており、前記灯芯先端部と前記着火プラグの電気ヒータとの間に電気ヒータの加熱で燃焼して灯芯先端部を着火させる前記導火線が配設されている請求項１に記載の液体燃料ランプの自動着火装置。
【請求項３】
前記着火プラグと前記容器とが連結部材で連結され、この連結部材は垂直片と水平片からなるＬ字形連結部材であり、前記垂直片に形成された保持孔に前記着火プラグを挿入固定し、前記水平片に形成された取付孔に前記容器の首部を挿入固定した請求項１に記載の液体燃料ランプの自動着火装置。
【請求項４】
前記導火線の一端は前記電気ヒータに接触または近接配置され、前記導火線の他端は前記灯芯先端部に僅かな隙間を介して近接配置される請求項１、２または３に記載の液体燃料ランプの自動着火装置。
【請求項５】
前記導火線の他端は折曲部を介して前記首部内に収容され、前記折曲部が前記灯芯先端部に隙間を介して近接配置されている請求項４に記載の液体燃料ランプの自動着火装置。
【請求項６】
前記導火線の表面は可燃性材料で被覆されている請求項１〜５のいずれかに記載の液体燃料ランプの自動着火装置。
【請求項７】
前記取付孔および／または前記保持孔の内縁に複数の圧接片を切り起こし形成し、この圧接片により前記首部または／および着火プラグを圧接固定する請求項３〜６のいずれかに記載の液体燃料ランプの自動着火装置。
【請求項８】
前記電気ヒータを有線信号または無線信号により点火する請求項１〜７のいずれかに記載の液体燃料ランプの自動着火装置。
【請求項９】
請求項１〜８のいずれかに記載の自動着火装置を複数の液体燃料ランプのそれぞれに配置し、複数の液体燃料ランプを個別的にまたは統一的に着火制御する制御装置を設けたことを特徴とする液体燃料ランプの自動着火装置。
【発明の詳細な説明】
【技術分野】
【０００１】
この発明は、結婚披露宴のキャンドルサービスや各種イベントの会場、あるいは寺院・神社・教会・会館などの祭壇、その他各種設備に配置される液体燃料ランプの自動着火装置に関する。
【背景技術】
【０００２】
近年、例えば結婚披露宴におけるキャンドルサービスでは、会場の雰囲気を盛り上げるために、従来のキャンドルを使うものに代わって、発光量が大きく、炎色反応を利用して炎の色を変化させることが可能なアルコールランプなどの液体燃料ランプを使用することが多くなってきている。
【０００３】
ところで、このような液体燃料ランプを自動着火させる構成として、電気ヒータを配備し、液体燃料を収容する容器から引き出された灯芯の先端を電気ヒータに接触させてセットすることが考えられるが、この場合、セットした後の開場までの待ち時間が長くなると、液体燃料が蒸発して灯芯が乾燥してしまい、着火不良が起きやすい。また、多くの液体燃料ランプにどのようにして火をつけるかという演出上の問題がある。
【０００４】
従来、電気ヒータとキャンドルなどの灯芯との間に導火線を配設して、電気ヒータのＯＮにより導火線導芯を燃焼させて灯芯を着火させるようにしたものが案出されている（例えば特許文献１参照）。
【特許文献１】特開２００２−１３０６７３号公報（第５頁、図１０）
【発明の開示】
【発明が解決しようとする課題】
【０００５】
ところで、キャンドルサービスなどに使用する液体燃料ランプでは、現場でセットすることが多く、これに対応して着火装置も簡単に装着できることが要求されるが、前記した従来の公知技術の着火装置を液体燃料ランプに適用するとしても、そのままでは着火装置を液体燃料ランプに連結させる手段がなく、現場で液体燃料ランプにすぐにセットさせることができない。
【０００６】
この発明は、上記実情に鑑みてなされたものであり、現場で液体燃料ランプに簡単にセットできる液体燃料ランプの自動着火装置を提供することを課題とする。
【課題を解決するための手段】
【０００７】
この発明は上記課題を解決するためになされたものであり、この発明の第１の形態は、基端部が容器に収容された液体燃料に浸漬され先端部が前記容器の首部開口から引き出された灯芯の前記先端部に着火させるための液体燃料ランプの自動着火装置であり、電気ヒータを内蔵した着火プラグを有し、前記電気ヒータと前記灯芯先端部との間に電気ヒ−タの加熱で燃焼して灯芯先端部を着火させる導火線を配設した液体燃料ランプの自動着火装置である。
【０００８】
この発明の第２の形態は、前記容器は受け部に据置され、この受け部に着火プラグ用基台が添設され、この着火プラグ用基台の上部に前記着火プラグが設けられており、前記灯芯先端部と前記着火プラグの電気ヒータとの間に電気ヒータの加熱で燃焼して灯芯先端部を着火させる前記導火線が配設されている液体燃料ランプの自動着火装置である。
【０００９】
この発明の第３の形態は、前記着火プラグと前記容器とが連結部材で連結され、この連結部材は垂直片と水平片からなるＬ字形連結部材であり、前記垂直片に形成された保持孔に前記着火プラグを挿入固定し、前記水平片に形成された取付孔に前記容器の首部を挿入固定した液体燃料ランプの自動着火装置である。
【００１０】
この発明の第４の形態は、前記導火線の一端は前記電気ヒータに接触または近接配置され、前記導火線の他端は前記灯芯先端部に僅かな隙間を介して近接配置される液体燃料ランプの自動着火装置である。
【００１１】
この発明の第５の形態は、前記導火線の他端は折曲部を介して前記首部内に収容され、前記折曲部が前記灯芯先端部に隙間を介して近接配置されている液体燃料ランプの自動着火装置である。
【００１２】
この発明の第６の形態は、前記導火線の表面は可燃性材料で被覆されている液体燃料ランプの自動着火装置である。
【００１３】
この発明の第７の形態は、前記取付孔および／または前記保持孔の内縁に複数の圧接片を切り起こし形成し、この圧接片により前記首部または／および着火プラグを圧接固定する液体燃料ランプの自動着火装置である。
【００１４】
この発明の第８の形態は、前記電気ヒータを有線信号または無線信号により点火する液体燃料ランプの自動着火装置である。
【００１５】
この発明の第９の形態は、第１〜８の形態のいずれかに記載の自動着火装置を複数の液体燃料ランプのそれぞれに配置し、複数の液体燃料ランプを個別的にまたは統一的に着火制御する制御装置を設けたことを特徴とする液体燃料ランプの自動着火装置である。
【発明の効果】
【００１６】
この発明の第１の形態によれば、電気ヒータを内蔵した着火プラグと燃料が収容された容器との間で、電気ヒータで加熱された導火線を燃焼させることにより、前記灯芯を自動的に着火させて液体ランプを点灯させることができる。
【００１７】
この発明の第２の形態によれば、容器の受け部に着火プラグ用基台が添設されていることにより着火プラグが前記容器の近傍に配置されるので、導火線の長さを短くでき、しかも着火プラグの電気ヒータによる着火をこの短い導火線により灯芯先端部に確実に送ることができ、液体燃料ランプを正確に着火させることができる。
【００１８】
この発明の第３の形態によれば、電気ヒータを内蔵した着火プラグが装着された連結部材を、液体燃料が収容された容器に連結するだけで、前記着火プラグを連結部材を介して容器に簡単に装着できる。また、Ｌ字形連結部材おける垂直片の保持孔に着火プラグを装着し、水平片の取付孔を容器の首部に挿入固定する構成であるから、連結部材の成形が比較的容易であり、しかも着火プラグの連結部材への装着ならびに連結部材の液体燃料ランプへの装着をそれぞれ容易に行うことができる。
【００１９】
この発明の第４の形態によれば、導火線と灯芯との間に隙間を存在させることにより、空気が取り込まれやすくなり、導火線の燃焼温度が高い状態で前記灯芯を確実に着火させることができる。
【００２０】
この発明の第５の形態によれば、導火線の他端に折曲部を形成したことにより、この導火線の他端を容器の首部に入れると、そのまま灯芯の先端部との間に隙間を容易に存在させることができる。
【００２１】
この発明の第６の形態によれば、前記導火線が可燃性材料で被覆されているので、前記導火線の折曲部などの形状を保持させやすくなり、しかも、導火線を容器内に入れた状態でも、該導火線が液体燃料で湿潤されるのが前記可燃性材料で抑制され、もって導火性能が良好に確保される。また、可燃性材料としては、セメダインなどの可燃性の接着剤やロウ材などが用いられる。
【００２２】
この発明の第７の形態によれば、前記取付孔に内縁に形成した圧接片により、連結部材を容器の首部に装着した状態でのがたつきが防止される一方、前記保持孔の内縁にも圧接片を形成することにより、着火プラグの挿入固定状態も堅固に保持される。
【００２３】
この発明の第８の形態によれば、電気ヒータを有線信号または無線信号により、液体燃料ランプの着火をリモートコントロールすることができる。
【００２４】
この発明の第９の形態によれば、複数の液体燃料ランプのそれぞれに対応して設けた自動着火装置を制御装置により制御して、これら液体燃料ランプの着火を個別的または統一的に制御して、多彩な点灯での表示状態を得ることができる。
【発明を実施するための最良の形態】
【００２５】
以下、この発明の実施形態を図面に基づいて説明する。
図１、図２および図３は、それぞれこの発明の実施形態にかかる液体燃料ランプの自動着火装置を示す組み付け状態の斜視図、組み付け状態の一部破断側面図および分解斜視図である。
【００２６】
図１〜図３において、１は液体燃料ランプ、２はこの液体燃料ランプ１に装着された自動着火装置である。前記液体燃料ランプ１は、アルコールのような液体燃料１１が収容された容器１２と、前記液体燃料１１を毛管現象により吸い上げる灯芯１３とを備えている。前記容器１２は、例えばガラス製の首付き角形のビンからなる。揮発油１１としては、例えばアルコールが挙げられる。前記灯芯１３は、例えばグラスウールなどから構成されており、基端部１３ｂが前記容器１２内の揮発油１１に浸漬され、その先端部１３ａが容器１２の首部１２ａから引き出されている。
【００２７】
なお、この液体燃料ランプ１は、例えば図９に示すような支持フレーム５などに支持させる場合には、例えば支持フレーム５に受け部３０ａをもった支持部材３０を固定しておけば、現場で、液体燃料ランプ１をそのまま前記受け部３０ａに載置することができる。また、容器１２には、必要に応じて前記受け部３０ａに嵌着される円筒形の外装体３１を外嵌させるようにしてもよい。
また、この液体燃料ランプ１は、不使用時には、液体燃料１１の蒸発を防止するために、例えば図４および図５に示すように、ゴム製キャップ３２が容器１２の首部１２ａに着脱可能に装着されている。このゴムキャップ３２は、例えばゴム筒の一端を熱溶着し、多端開口を容器１２の首部１２ａにシュリンクして止めておくようになっており、使用する際には、上方への引き抜き操作で簡単に外せるようになっている。
【００２８】
前記自動着火装置２は、前記容器１２の首部１２ａに装着される連結部材２１と、着火プラグ２２と、電気ヒータ２３と、導火線２４とを備えている。前記連結部材２１は、例えば厚みが０．３ｍｍ程度のＳＵＳ板をＬ字形に成形したものであり、その垂直片２１ａには、前記着火プラグ２２を挿入して保持する保持孔２１１が形成されており、また、水平片２１ｂには、前記容器１２の首部１２ａに嵌着・固定される取付孔２１２が形成されている。
勿論、この連結部材２１は、耐熱性材であればＳＵＳに限らず他の部材を使用でき、さにＬ字形に限らず、例えばコ字形などの他の形状を採用可能であるが、Ｌ字形の金属板を使用すれば、比較的容易に成形できるとともに、保持孔２１１や取付孔２１２を形成しやすいという利点がある。
【００２９】
この取付孔２１２の内縁には、複数の三角形の圧接片２１３が切り起こし形成されており、取付孔２１２を容器１２の首部１２ａに嵌着した際に、これら圧接片２１３で前記首部１２ａの外周面を圧接させるように構成されている。
なお、この例では、水平片２１ｂを、前記容器１２の全体が上方から見て隠れる程度の広面に形成してあり、導火線２４の燃焼火花や燃焼灰が飛散落下するのを受け止めるようにしてある。
【００３０】
前記着火プラグ２２は、金属材などの耐熱性材から筒形に成形されており、内部には、幅が３ｍｍ程度の電気ヒータ２３が保持されている。
前記電気ヒータ２３は、３ボルト程度の直流を通電することにより駆動されるようになっており、前記着火プラグ２２から電力供給線２５が引き出されている。
【００３１】
前記導火線２４は、例えば図６に示すように、綿製の基材２４１の表面をロウ材や可燃性接着剤などの可燃性材料２４２で被覆したものであり、その一端部２４ａが前記電気ヒータ２３に接触もしくは近接して配置される一方、他端部２４ｂが前記灯芯１３の先端部１３ａに僅かな隙間Ｇを介して近接配置されている。具体的には、図２に示すように、導火線２４の他端部２４ｂに折曲部２４ｃを形成し、この折曲部２４ｃを前記容器１２の首部１２ａに収容させ、この折曲部２４ｃを介して前記灯芯１３の先端部１３ａに対して隙間Ｇを存在させてある。勿論、導火線２４の他端部２４ｂに折曲部２４ｃを形成する代わりに、例えば導火線２４の他端部２４ｂを前記灯芯１３の先端部１３ａに緩く巻き付けて前記灯芯１３との間に隙間Ｇを存在させるようにしてもよい。
【００３２】
なお、導火線２４は、ロウ材や可燃性接着剤等からなる可燃性材料２４２で被覆しないものでも使用可能であるが、その場合は、前記折曲部２４ｂなどの形状が保持しにくいうえ、他端部２４ｂが液体燃料１１で濡れてしまうと、着火不良を招くおそれがある。この点、この例のように、前記可燃性材料２４２で被覆してあると、形状を確保しやすくなるうえ、前記液体燃料１１に濡れたりするのが抑制されて、着火性能の信頼性が確保される。
【００３３】
前記自動着火装置２は、図１に示すように、着火制御装置４により制御されるようになっている。
【００３４】
前記着火制御装置４は、リモートコントロール用の送信装置４１と、この送信装置４１かの指令信号を有線または無線で受信する受信部４２と、受信部４２からの出力により前記自動着火装置２に通電電力をＯＮ／ＯＦＦ制御するスイッチング部４３とを備えている。
【００３５】
上記構成において、例えば結婚披露宴などでキャンドルサービスが開始される際に、前記液体燃料ランプ１のキャップ３２を外しておく。その時、灯芯１３の基端部１３ｂが容器１２内の液体燃料１１に浸漬され、先端部１３ａが容器１２の首部１２ａから適当長さだけ引き出された状態にしておく。
【００３６】
一方、前記自動着火装置２における連結部材２１の垂直片２１ａの保持孔２１１に着火プラグ２２を挿入して固定しておく。この着火プラグ２２を前記保持孔２１１に挿入して固定するだけで、連結部材２１と一体化させることができる。
【００３７】
なお、前記保持孔２１１の内縁にも着火プラグ２２の外周面を圧接する複数の圧接片（図示せず）を設けておけば、該着火プラグ２２の装着状態が安定する。
【００３８】
そして、前記連結部材２１における取付孔２１２を前記容器１２の首部１２ａに嵌着すれば、着火プラグ２２が連結部材２１を介して容器１２に連結支持される。すなわち、結婚披露宴などの現場で、前記連結部材２１を介して着火プラグ２２などを簡単に組み付けることができる。
【００３９】
ついで、前記導火線２４の一端部２４ａを前記電気ヒータ２３に接触もしくは近接して配置する一方、他端部２４ｂに折曲部２４ｃ形成し、この折曲部２４ｃを容器１２の首部１２ａから挿入すれば、この導火線２４の他端折曲部２４ｂが前記灯芯１３の先端部１３ａに僅かな隙間Ｇを介して近接配置されることになる。
【００４０】
このようなセットが終了した状態で、現場の担当者などが前記送信装置４１を操作して点火指令を発信すれば、受信部４２で受信され、スイッチング部４３からのＯＮ信号で電ヒータ２３が通電される。この電気ヒータ２３が加熱され、導火線２４が燃焼し、燃焼火花により前記灯芯１３が着火され、これにより液体燃料ランプ１が自動点火される。
【００４１】
この時、導火線２４が灯芯１３の先端部１３ａに隙間Ｇをもって近接配置されているので、空気の取り込みが十分になり、導火線２４の燃焼温度が高い状態で前記灯芯１３を確実に着火させることができる。
【００４２】
図７は別の実施形態の液体燃料ランプの自動着火装置の斜視図である。図７に示すように、支持部材３０の上端に受け部３０ａが設けられ、この受け部３０ａに液体燃料ランプ１が据置されている。この受け部３０ａには嵌着される円筒形の外装体３１が外嵌されている。受け部３０ａの側方には、着火プラグ用基台４０が取付ねじ４１で取り付けられて添設されている。この着火プラグ用基台４０には、その中心部に配線用貫通孔４０ａが穿設されており、上面に支持脚４２が立設されている。この支持脚４２の上端には支持台４３が配設され、この支持台４３の上面に着火プラグ２２が配置されている。液体燃料ランプ１の上端内部からは導火線２４が出され、その先端が着火プラグ２２の電気ヒータ２３に接触して自動着火装置２Ａを構成している。
【００４３】
自動着火装置２Ａは、着火制御装置４により制御されるようになっている。この着火制御装置４は、リモートコントロール用の送信装置４１と、この送信装置４１からの指令信号を有線または無線で受信する受信部４２と、受信部からの出力により自動着火装置２に通電電力をＯＮ／ＯＦＦ制御するスイッチング部４３とを備えている。
【００４４】
図８は図７に示す自動着火装置の縦断面図である。電力供給線２５が着火プラグ用基台４０の配線用貫通孔４０ａから支持台４３の貫通孔を経て着火プラグ２２内に配線されている。この電力供給線２５の上端間には電気ヒータ２３が接続され、この電気ヒータ２３に導火線２４が接触している。電力供給線２５に電流が送られると、電気ヒータ２３が発熱して導火線２４に着火し、この着火は導火線２４を経て液体燃料ランプ１の灯芯１３の先端部１３ａに着火して炎が発生するようになっている。
【００４５】
図９は、この発明の応用例を示し、複数の液体燃料ランプ１・・・のそれぞれに対応して自動着火装置２又は２Ａを設け、複数の液体燃料ランプ１・・・を個別的または統一的に制御する制御装置８を設けたものである。なお、複数の液体燃料ランプ１・・・は、例えばハート形の支持フレーム５に支持されており、支持フレーム５は、ベース部材６に立設された前部支柱７Ａおよび後部支柱７Ｂ，７Ｂの各先端に固定されている。
【００４６】
この場合、前記着火制御装置８により、複数の液体燃料ランプ１を個別的または統一的に点灯させるとことができる。
【００４７】
この発明は、上記実施形態に限定されるものではなく、この発明の技術的思想を逸脱しない範囲における種々の変形例、設計変更などをその技術的範囲内に包含することはいうまでもない。
【００４８】
一例を挙げると、前記各実施形態では、着火プラグ２２が装着された連結部材２１を容器１２の首部１２ａに嵌着するもので説明したが、例えば連結部材２１に締め付け片部（図示せず）を設け、この締め付け片部により容器１２の首部１２ａを締付固定する構成など、他の連結構造を任意に採用でき、また、連結部材２１は、容器１２の首部１２ａ以外の部位に連結するように構成することも可能である。
【産業上の利用可能性】
【００４９】
本発明に係る液体燃料ランプの自動着火装置は、結婚式場の披露宴会場や、誕生日パーティ会場、クリスマスパーティ会場等、各種祝い事のパーティ会場、寺院・神社・教会・会館・自宅などの祭壇、その他各種設備で好ましく使用される。
【図面の簡単な説明】
【００５０】
【図１】この発明の実施形態にかかる液体燃料ランプの自動着火装置を示す組み付け状態の斜視図である。
【図２】同じく液体燃料ランプの自動着火装置を示す組み付け状態の一部破断側面図である。
【図３】同じく液体燃料ランプの自動着火装置を示す分解斜視図である。
【図４】同じく液体燃料ランプにおけるキャップを外した状態を示す斜視図である。
【図５】同じく液体燃料ランプにおけるキャップを装着した状態を示す斜視図である。
【図６】導火線を示す一部拡大断面図である。
【図７】別の実施形態の液体燃料ランプの自動着火装置の斜視図である。
【図８】図７に示す自動着火装置の縦断面図である。
【図９】液体燃料ランプの自動着火装置の応用例の説明図である。
【符号の説明】
【００５１】
１      液体燃料ランプ
２      自動着火装置
２Ａ    自動着火装置
４，５  着火制御装置
１１    液体燃料
１２    容器
１２ａ  容器の首部
１３    灯芯
１３ａ  灯芯の先端部
１３ｂ  灯芯の基端部
２１    連結部材
２１ａ  連結部材の垂直片部
２１ｂ  連結部材の水平片部
２２    着火プラグ
２３    電気ヒータ
２４    導火線
２４ａ  導火線の一端部
２４ｂ  導火線の他端部
２４ｃ  導火線の折曲部
４０    着火プラグ用基台
４１    取付ねじ
４２    支持脚
４３    支持台
２１１  保持孔
２１２  取付孔
２１３  圧接片
２４２  可燃性材料
【図１】
2006125690.tif 000003
【図２】
2006125690.tif 000004
【図３】
2006125690.tif 000005
【図４】
2006125690.tif 000006
【図５】
2006125690.tif 000007
【図６】
2006125690.tif 000008
【図７】
2006125690.tif 000009
【図８】
2006125690.tif 000010
【図９】
2006125690.tif 000011